(57)【要約】【課題】乗かごの天蓋上における作業に際し、作業者の足が天蓋を踏み外すことを防止できるエレベータのかご上安全装置の提供。【解決手段】本発明に係るエレベータのかご上安全装置は、天蓋２上に配置される手摺３が、第１手摺部１０と、この第１手摺部１０に対して摺動可能に設けられ、第１手摺部１０の上側に配置される第２手摺部１１とを含む。第１手摺部１０は、空間部６内に収納される一対の脚部１０ａと横桟１０ｂとを有し、第２手摺部１１は、第１手摺部１０の脚部１０ａのそれぞれに収納される一対の脚部１１ａと横桟１１ｂとを有している。また本発明は、第１手摺部１０と第２手摺部１１とを互いに上下方向の摺動不能にロックする第１穴部１０ｃ、係止具１６及びばね１７を含むロック部と、第１手摺部１０を下降不能に係止保持する爪部材２１、ばね２２及びヒンジ２３を含む係止保持部とを備えている。【選択図】図２
2015196572.tif 000002
【特許請求の範囲】
【請求項１】
乗かごの天蓋上に配置され、前記天蓋上の作業者の安全を確保する手摺を備え、
前記手摺は、前記乗かごを形成する内壁と外壁との間に形成される空間部に収納される一対の脚部と、これらの脚部を連結する横桟とを有し、使用時には前記天蓋よりも高い所定の立設位置に保持され、不使用時には前記横桟が前記所定の立設位置よりも低い位置となるように保持されるエレベータのかご上安全装置において、
前記手摺は、第１手摺部と、この第１手摺部に対して摺動可能に設けられ、第１手摺部の上側に配置される第２手摺部とを含み、
前記第１手摺部は、前記一対の脚部と、前記横桟とを有し、
前記第２手摺部は、前記第１手摺部の前記一対の脚部のそれぞれに対して、及び前記第１手摺部の前記横桟に対して、上下方向に摺動可能に設けられる一対の脚部と、前記第１手摺部の前記横桟よりも上方に配置され、前記第２手摺部の前記一対の脚部を連結する横桟とを有し、
前記第１手摺部と前記第２手摺部とを互いに上下方向の摺動不能にロックするロック部と、
前記第１手摺部を下降不能に係止保持する係止保持部とを備えたことを特徴とするエレベータのかご上安全装置。
【請求項２】
請求項１に記載のエレベータのかご上安全装置において、
前記第１手摺部の前記一対の脚部のそれぞれの、上下方向の移動をガイドするガイド部材を備えたことを特徴とするエレベータのかご上安全装置。
【請求項３】
請求項１または２に記載のエレベータのかご上安全装置において、
前記所定の立設位置に保持されている前記手摺を前記天蓋の外方に向って押圧した際の前記手摺の倒れを防止する手摺倒れ防止部を備えたことを特徴とするエレベータのかご上安全装置。
【請求項４】
請求項１〜３のいずれか１項に記載のエレベータのかご上安全装置において、
前記第２手摺部を前記第１手摺部側から引き上げた際の前記第１手摺部の上方向への移動を規制する規制部を備えたことを特徴とするエレベータのかご上安全装置。
【請求項５】
請求項１〜４のいずれか１項に記載のエレベータのかご上安全装置において、
前記ロック部は、前記第１手摺部の前記第１脚部のそれぞれに形成した第１穴部と、前記第２手摺部に設けられ、前記第１手摺部の前記第１穴部に係止される係止具と、この係止具を前記第１穴部に係止させるように付勢するばねとを含み、
前記係止保持部は、前記第１手摺部の前記脚部に形成され、前記第１穴部よりも下方に設けた貫通穴と、この貫通穴に挿入され、前記乗かごの前記天蓋に係止されるピンとを含むことを特徴とするエレベータのかご上安全装置。
【発明の詳細な説明】
【技術分野】
【０００１】
本発明は、乗かごの天蓋上に、作業者の安全を確保する手摺を備えたエレベータのかご上安全装置に関する。
【背景技術】
【０００２】
この種の従来技術として、特許文献１に示されるものがある。この従来技術は、エレベータの乗かごの天蓋上の乗降口側を除く三方に、この天蓋上の作業者の安全を確保する３つの手摺から成る手摺部を備えている。手摺部のそれぞれの手摺は、乗かごを形成する内壁と外壁との間に形成される空間部に収納される一対の立柱すなわち脚部と、これらの立柱を連結する手摺枠すなわち横桟とを有している。また、手摺のそれぞれは、使用時には天蓋よりも高い所定の立設位置に保持され、不使用時には手摺枠が前述した所定の立設位置よりも低い位置に保持されるようになっている。
【先行技術文献】
【特許文献】
【０００３】
【特許文献１】特開２００９−１５５０７３号公報
【発明の概要】
【発明が解決しようとする課題】
【０００４】
前述した従来技術は、手摺のそれぞれを所定の立設位置に保持して乗かごの天蓋上で作業を行う際に、手摺の一対の立柱すなわち脚部と、手摺枠すなわち横桟とによって囲まれる空間部が大きくなることから、天蓋上の作業者の足が前述の空間部から外方にはみ出して天蓋を踏み外す虞がある。したがって、従来技術にあっては、天蓋を踏み外さないように十分に気を付けながら慎重に作業を行うことが要求される。これに伴って、天蓋上の作業の能率が低下する懸念がある。
【０００５】
本発明は、前述した従来技術における実情からなされたもので、その目的は、乗かごの天蓋上における作業に際し、作業者の足が天蓋を踏み外すことを防止できるエレベータのかご上安全装置を提供することにある。
【課題を解決するための手段】
【０００６】
前記目的を達成するために、本発明に係るエレベータのかご上安全装置は、乗かごの天蓋上に配置され、前記天蓋上の作業者の安全を確保する手摺を備え、前記手摺は、前記乗かごを形成する内壁と外壁との間に形成される空間部に収納される一対の脚部と、これらの脚部を連結する横桟とを有し、使用時には前記天蓋よりも高い所定の立設位置に保持され、不使用時には前記横桟が前記所定の立設位置よりも低い位置となるように保持されるエレベータのかご上安全装置において、前記手摺は、第１手摺部と、この第１手摺部に対して摺動可能に設けられ、第１手摺部の上側に配置される第２手摺部とを含み、前記第１手摺部は、前記一対の脚部と、前記横桟とを有し、前記第２手摺部は、前記第１手摺部の前記一対の脚部のそれぞれに対して、及び前記第１手摺部の前記横桟に対して、上下方向に摺動可能に設けられる一対の脚部と、前記第１手摺部の前記横桟よりも上方に配置され、前記第２手摺部の前記一対の脚部を連結する横桟とを有し、前記第１手摺部と前記第２手摺部とを互いに上下方向の摺動不能にロックするロック部と、前記第１手摺部を下降不能に係止保持する係止保持部とを備えたことを特徴としている。
【発明の効果】
【０００７】
本発明に係るエレベータのかご上安全装置は、天蓋上における作業に際し、手摺が所定の立設位置に保持されている状態では、第２手摺部の横桟の下側に第１手摺部の横桟が配置された状態となる。したがって、天蓋上の作業者は、第１手摺部及び第２手摺部の横桟によって、天蓋の外方への動きが阻止され、作業者の足が天蓋を踏み外すことを防止できる。これにより本発明は、天蓋上の作業時に要求される慎重さが従来よりも緩和され、天蓋上の作業を従来に比べて能率良く行うことができる。
【図面の簡単な説明】
【０００８】
【図１】本発明に係るエレベータのかご上安全装置の一実施形態を示す平面図である。
【図２】本実施形態に備えられる手摺のうちの１つを、外壁を除いて示した正面図である。
【図３】本実施形態に備えられるガイド枠を示す斜視図である。
【図４】本実施形態に備えられる手摺の倒れを防止する手摺倒れ防止部を示す図で、（ａ）図は正面図、（ｂ）図は側面図である。
【図５】本実施形態に備えられるロック部を示す図で、（ａ）図はロック状態を示す側面図、（ｂ）図は非ロック状態を示す側面図である。
【図６】本実施形態に備えられる係止保持部を示す斜視図である。
【図７】本実施形態に備えられる手摺に含まれる第１手摺部の上方向への動きを規制する規制部を示す図で、（ａ）図は側面図、（ｂ）図は正面図である。
【図８】本実施形態に備えられる手摺の収納時の状態を示す斜視図である。
【図９】図８に示すように収納状態にある手摺の引き上げ動作開始時の状態を示す正面図である。
【図１０】本発明の第２実施形態の要部を示す正面図である。
【図１１】ガイド枠の他の例を示す斜視図である。
【図１２】規制部の他の例を示す図で、（ａ）図は側面図、（ｂ）図は正面図である。
【発明を実施するための形態】
【０００９】
以下、本発明に係るエレベータのかご上安全装置の実施の形態を図面に基づいて説明する。
【００１０】
本実施形態に係るエレベータのかご上安全装置は、図１に示すように、エレベータの乗かご１の天蓋２上に、乗降口側を除く三方に配置され、この天蓋２上の作業者の安全を確保する３つの手摺３を備えている。これらの手摺３のそれぞれは、乗かご１を形成する内壁４と外壁５との間に形成される空間部６に収納される後述の一対の脚部を備えている。
【００１１】
図２に示すように、本実施形態に備えられる手摺３は、第１手摺部１０と、この第１手摺部１０に対して摺動可能に設けられ、第１手摺部１０の上側に配置される第２手摺部１１とを含んでいる。
【００１２】
第１手摺部１０は、一対の脚部１０ａと横桟１０ｂとを有している。一対の脚部１０ａのそれぞれは角筒状に形成され、天蓋２に設けられた穴部２ａに挿入されて、前述した空間部６に収納されている。横桟１０ｂはそれぞれの脚部１０ａの頂部を連結している。
【００１３】
第２手摺部１１も、一対の脚部１１ａと横桟１１ｂとを有している。一対の脚部１１ａは、第１手摺部１０の脚部１０ａよりも小さい角筒状に形成され、第１手摺部１０の横桟１０ｅに形成した穴部１０ｆを介して、第１手摺部１０の脚部１０ａに挿入されている。横桟１０ｂは、それぞれの脚部１１ａの頂部を連結している。この横桟１１ｂには、天蓋２上で作業を行う作業者が第２手摺部１１の横桟１１ｂを把持する際の手掛かりとなる凹部１１ｆを形成してある。
【００１４】
また、本実施形態は、第１手摺部１０と第手摺部１１とを互いに上下方向の摺動不能にロックするロック部を備えている。このロック部は例えば、図５の（ａ）図に示すように、第１手摺部１０の脚部１０ａのそれぞれに形成した第１穴部１０ｃと、第２手摺部１１に形成したガイド穴１１ｇにそれぞれ挿入可能に設けられ、第１穴部１０ｃに係止される係止具１６と、この係止具１６を第１穴部１０ｃに係止させるように付勢するばね１７とを含んでいる。同図５の（ａ）図に示すように、ばね１７によって付勢された係止具１６が第１手摺部１０の第１穴部１０ｃに係止されることにより、第１手摺部１０と第２手摺部１１とはロック状態となる。また、同図５の（ｂ）図に示すように、係止具１６を第２手摺部１１の脚部１１ａ方向に押し込んで、係止具１６と第１穴部１０ｃとの係止を解くことにより、第１手摺部１０と第２手摺部１１とは非ロック状態となる。この非ロック状態となると、第２手摺部１１の脚部１１ａは第１手摺部１０の脚部１０ａに対して上下方向に摺動可能となる。
【００１５】
また、本実施形態は、第１手摺部１０を下降不能に係止保持する係止保持部を備えている。この係止保持部は例えば図６に示すように、第１手摺部１０の脚部１０ａに形成され、前述した脚部１０ａの第１穴部１０ｃよりも下方に設けた貫通穴１０ｄと、この貫通穴１０ｄに挿入され、乗かご１の天蓋２に係止されるピン１８と、このピン１８を第１手摺部１０の脚部１０ａに取り付けるひも１９とを含んでいる。
【００１６】
また、本実施形態は、第１手摺部１０の一対の脚部１０ａのそれぞれの、上下方向の摺動をガイドするガイド部材、例えばガイド枠１４を備えている。図３に示すように、このガイド枠１４は、例えば乗かご１の内壁４に取り付けられる一対の取り付け部１４ａと、これらの取り付け部１４ａから立設される一対の側部１４ｂと、これらの側部１４ｂを連結する上面部１４ｃとを有している。このガイド枠１４は、一枚板を折り曲げ形成したものである。
【００１７】
また、本実施形態は、所定の立設位置に保持されている手摺３を、天蓋２の外方へ向かって押圧した際の手摺３の倒れを防止する手摺倒れ防止部を備えている。この手摺倒れ防止部は、手摺３を所定の立設位置に保った際に、第１手摺部１０の脚部１０ａの下方部分が空間部６内に十分な長さ有するようにすることを考慮して、第１手摺部１０の脚部１０ａの長さ寸法を、第２手摺部１１の脚部１１ａの長さ寸法よりも長く設定することによって構成されている。さらに、手摺倒れ防止部は、図４にも示すように、第１手摺部１０の脚部１０ａの下端に設けられ、内壁４との接触面積を大きく確保可能な幅広部材１５によっても構成されている。なお同図４の（ｂ）図に示す幅広部材１５の厚さ寸法は、内壁４と外壁５との間隔寸法よりもわずかに小さい寸法に設定してある。
【００１８】
また、本実施形態は、第２手摺部１１の脚部１１ａが第１手摺部１０の脚部１０ａに収納されている状態から、第２手摺部１１を引き上げた際の第１手摺部１０の上方向への移動を規制する規制部を備えている。この規制部は例えば図７に示すように、天蓋２上に設けたヒンジ２３と、このヒンジ２３に回動可能に取り付けられ、先端に第１手摺部１０の横桟１０ｂの上面に当接可能な幅広の爪部２１ａを有する爪部材２１と、この爪部材２１を、爪部２１ａが横桟１０ｂの上面１０ｅに当接するように付勢するばね２２とを含む構成にしてある。なお、不使用時における図８に示す手摺３の収納状態にあっては、第２手摺部１１の横桟１１ｂの下面１１ｄが第１手摺部１０の横桟１０ｂの上面１０ｅに当接するように配置されている。図７の（ｂ）に示すように、第２手摺部１１の横桟１１ｂの下面１１ｄ側に爪部材２１の爪部２１ａを回避するくぼみ部１１ｅを形成してある。これにより、前述した第１手摺部１０の横桟１０ｂの上面１０ｅと第２手摺部１１の横桟１１ｂの下面１１ｄとの当接が可能となる。
【００１９】
このように構成した本実施形態は、手摺３の不使用時には、図５に示す係止具１６及びばね１７を含むロック部が解除され、また図６に示す係止保持部のピン１８が貫通穴１０ｄから引き抜かれて第１手摺部１０の脚部１０ａの係止保持が解除される。これにより、図８に示すように、第１手摺部１０の横桟１０ｂが乗かご１の天蓋２上に位置するように、第１手摺部１０の脚部１０ａが前述した空間部６内に収納される。また、第２手摺部１１の横桟１１ｂが第１手摺部１０の横桟１０ｂ上に当接するように、第２手摺部１１の脚部１１ａが第１手摺部１０の脚部１０ａ内に収納された状態となる。すなわち、第１，第２手摺部１０，１１の横桟１０ｂ，１１ｂが、手摺３の使用時の所定の立設位置よりも低い位置となるように保持される。
【００２０】
また、乗かご１の天蓋２上で作業を行う際には、天蓋２に乗り込んだ作業者は、手摺３のそれぞれをまず図７に示すように、爪部材２１の爪部２１ａによって第１手摺部１０の横桟１０ｂの上方向への移動を阻止した状態において、図９に示す第２手摺部１１の横桟１１ｂのみを凹部１１ｆに手を掛けて引き上げる。
【００２１】
この第２手摺部１１の引き上げにより、図５の（ａ）図に示すようにばね１７で付勢された係止具１６が第１手摺部１０の脚部１０ａの第１穴部１０ｃに係止され、第１手摺部１０の脚部１０ａと第２手摺部１１の脚部１１ａとがロックされ、一体化される。
【００２２】
この状態で作業者は爪部材２１を踏み込んで、爪部材２１の爪部２１ａによる第１手摺部１０の横桟１０ｂの係止を解除し、第２手摺部１１をさらに所定の立設位置よりわずかに上まで引き上げ、図６に示すピン１８を第１手摺部１０の脚部１０ａの貫通穴１０ｄに挿入し、第２手摺部１１に与えていた引き上げ力を緩める。これにより、第１手摺部１０と第２手摺部１１の自重によって手摺３が少し下降し、ピン１８が天蓋２上に係止される。すなわち、手摺３が所定の立設位置に保持される。このような動作が、天蓋２に配置された３つの手摺３のそれぞれにおいて実施される。したがって、天蓋２上の作業者は、三方の手摺３に囲まれた領域内を作業のための移動可能範囲として所望の作業を実施することができる。
【００２３】
作業を終えた作業者は、図６に示すピン１８を第１手摺部１０の脚部１０ａに形成した貫通穴１０ｄから引き抜き、爪部材２１を踏み込んだ状態で第１手摺部１０の横桟１０ｂが乗かご１の天蓋２上に載置されるまで、第１手摺部１０及び第２手摺部１１を押し下げ、爪部材２１に加えていた踏み込み力を緩める。これにより第１手摺部１０の横桟１０ｂは、天蓋２上にあって爪部材２１の爪部２１ａによって押圧された状態となる。
【００２４】
次に、図５に示すように係止具１６が第１手摺部１０の脚部１０ａの第１穴部１０ｃに係止されている状態から、第２手摺部１１の脚部１１ａ方向に係止具１６を押圧して第１穴部１０ｃに対する係止具１６の係止を解き、この状態で第２手摺部１１を、この第２手摺部１１の横桟１１ｂが第１手摺部１０の横桟１０ｂに当接するまで押し下げる。これによって手摺３は、前述した図８に示す収納状態となる。
【００２５】
以上のように構成した本実施形態は、手摺３が所定の立設位置に保たれている状態では、図２に示すように、第２手摺部１１の横桟１１ｂの下側に第１手摺部１０の横桟１０ｂが配置された状態となる。したがって、天蓋２上の作業者の脚を含む身体は、第１手摺部１０及び第２手摺部１１の横桟１０ａ，１１ａによって天蓋２の外方への動きを阻止され、作業者の足が天蓋２を踏み外すことを防止できる。これにより本実施形態は、天蓋２上の作業時に要求される慎重さが緩和され、天蓋２上の作業の能率を向上させることができる。
【００２６】
また本実施形態は、ガイド枠１４によって第１手摺部１０の一対の脚部１０ａのそれぞれがガイドされることにより、第１手摺部１０及び第２手摺部１１を上下方向に円滑に移動させることができ、手摺３を立設させる操作を簡単に行うことができる。
【００２７】
また本実施形態は、所定の立設位置に保持されている手摺３が、天蓋２の外方に向かうように押圧された際に、幅広部材１５等を含む前述の手摺倒れ防止部によって手摺３の倒れが防止される。すなわち天蓋２上の作業中に常時、手摺３が安定した形態に保たれ、天蓋２上の作業を安全に行うことができる。
【００２８】
また本実施形態は、所定の立設位置まで手摺３を引き上げる際に、はじめに規制部を活用して第２手摺部１１のみを引き上げて、第１手摺部１０と第２手摺部１１とをロック部によってロックして一体化し、引き続いて第２手摺部１１を引き上げる動作に伴って第１手摺部１０も一緒に引き上げ、これにより手摺３が所定の立設位置に保持されるようにしてあることから、手摺３の引き上げ動作を容易に行うことができる。
【００２９】
また本実施形態は、第１手摺部１０と第２手摺部１１とをロックして一体化する操作を、第２手摺部１１の引き上げ操作に伴ってロック部によって自動的に行うことができ、手摺３を所定の立設位置に保つ作業を簡単に行うことができる。
【００３０】
図１０に示す本発明の第２実施形態は、前述した第１実施形態の構成に加えて、第２手摺部１１に対して摺動可能に設けられ、第２手摺部１１の上側に配置される第３手摺部３０を設けた構成にしてある。
【００３１】
すなわち、この第２実施形態に備えられる第３手摺部３０も、一対の脚部３０ａと横桟３０ｂとを有している。一対の脚部３０ａのそれぞれは、第２手摺部１１の脚部１１ａよりも小さい角形状に形成され、第２手摺部１１の横桟１１ｂに形成した穴部１１ｉを介して、第２手摺部１１の脚部１１ａに挿入される。また横桟３０ｂは、一対の脚部３０ａの頂部を連結している。手摺３の収納時には、第３手摺部３０の横桟３０ｂは第２手摺部１１の横桟１１ｂに当接し、第２手摺部１１の横桟１１ｂは第１手摺部１０の横桟１０ｂに当接するようになっている。また、第１実施形態では、第２手摺部１１の横桟１１ｂの下面１１ｄに設けられていた作業者の手掛かりとなる凹部１１ｆは、この第２実施形態では設けずに、第３手摺部３０の横桟３０ｂの下面３０ｃに手掛かりとなる凹部３０ｄを設けてある。その他の構成は前述した第１実施形態と同等である。
【００３２】
このように構成した第２実施形態は、第１実施形態に比べて横桟の数が多くなることから、より確実に作業者の足が天蓋２を踏み外すことを防止できる。その他の作用効果は第１実施形態と同等である。
【００３３】
なお前述した第１，第２実施形態にあっては、第１手摺部１０の脚部１０ａ、第２手摺部１１の脚部１１ａ、及び第３手摺部３０の脚部３０ａのそれぞれを角筒によって形成したが、これらを丸パイプや溝形鋼等によって形成してもよい。要するに第１手摺部１０の脚部１０ａ、第２手摺部１１の脚部１１ａ、第３手摺部３０の脚部３０ａのそれぞれは、関連して配置されるものどうしが互いに摺動可能な部材によって構成されていればよい。
【００３４】
例えば第１手摺部１０の脚部１０ａを丸パイプによって形成する場合には、第１手摺部１０の脚部１０ａをガイドするガイド部材として、図１１に示すようなガイド枠４０を設けると都合がよい。このガイド枠４０は、乗かご１の内壁４に取り付けられる一対の取り付け部４０ａと、これらの取り付け部４０ａに両端が接続され、丸パイプの形状に応じて形成した曲げ板部４０ｂとを有している。このようなガイド枠４０も一枚板を折り曲げて製作することができる。
【００３５】
また、前述した第１，第２実施形態では、第１手摺部１０を下降不能に係止保持する係止保持部を構成するものとして第１手摺部１０の脚部１０ａに形成した貫通穴１０ｄに挿入されるピン１８を設けたが、このピン１８に代えて図１２に示すように、前述した規制部を構成する爪部材２１を兼用させるようにしてもよい。この場合、爪部材２１を強度部材によって製作し、この爪部材２１を第１手摺部１０の脚部１０ａに対向する位置に配置する。また、爪部材２１の爪部２１ｂを第１手摺部１０の脚部１０ａに形成した貫通穴１０ｄに挿入可能な寸法を有する突起体に形成し、この爪部材２１の爪部２１ｂを第１手摺部１０の脚部１０ａの貫通穴１０ｄに挿入し、係止させることによって、第１手摺部１０を下降不能に係止保持する。なお、第２手摺部１１の横桟１１ｂの下面１１ｄには、爪部材２１の爪部２１ｂの形状寸法に応じた比較的小さなくぼみ部１１ｈを設けるようにする。このように構成したものでは、爪部材２１の踏み込み操作、及び踏み込み力を弱める操作によって、第１手摺部１０の脚部１０に形成された貫通穴１０ｄへの爪部材２１の爪部２１ｂの挿入、離脱を行えるので、手摺３を所定の立設位置にする作業を容易に行うことができる。
【符号の説明】
【００３６】
１    乗かご
２    天蓋
２ａ  穴部
３    手摺
４    内壁
５    外壁
６    空間部
１０    第１手摺部
１０ａ  脚部
１０ｂ  横桟
１０ｃ  第１穴部（ロック部）
１０ｄ  貫通穴（係止保持部）
１１    第２手摺部
１１ａ  脚部
１１ｂ  横桟
１２    ロック部
１３    係止保持部
１４    ガイド枠（ガイド部材）
１５    幅広部材（手摺倒れ防止部）
１６    係止具（ロック部）
１７    ばね（ロック部）
１８    ピン（係止保持部）
１９    ひも（係止保持部）
２０    規制部
２１    爪部材（規制部）
２１ａ  爪部
２１ｂ  爪部
２２    ばね（規制部）
２３    ヒンジ（規制部）
３０    第３手摺部
３０ａ  脚部
３０ｂ  横桟
４０    ガイド枠（ガイド部材）
【図１】
2015196572.tif 000003
【図２】
2015196572.tif 000004
【図３】
2015196572.tif 000005
【図４】
2015196572.tif 000006
【図５】
2015196572.tif 000007
【図６】
2015196572.tif 000008
【図７】
2015196572.tif 000009
【図８】
2015196572.tif 000010
【図９】
2015196572.tif 000011
【図１０】
2015196572.tif 000012
【図１１】
2015196572.tif 000013
【図１２】
2015196572.tif 000014